【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
複数の画素が配列された画素アレイと、前記画素アレイの各列の各画素からの信号を処理する複数の処理部と、を備える固体撮像装置であって、
前記複数の処理部は、２以上の処理部を各々が有する複数のグループを形成しており、
前記固体撮像装置は、
出力ラインと、
電源電圧を伝達する電源ラインと、
前記複数のグループにそれぞれ対応し、対応するグループが有する前記２以上の処理部の出力端を各々が相互に接続する複数の信号ラインと、
前記複数のグループにそれぞれ対応する複数の接続部と、
制御部と、を備え、
前記複数のグループのうちの１つのグループの処理部からの信号を第１期間において出力する場合、
前記制御部は、前記第１期間において、前記１つのグループの前記接続部を、前記１つのグループの前記信号ラインと前記出力ラインとを電気的に接続して前記１つのグループの前記処理部から信号を出力するように制御し、
前記制御部は、前記第１期間において、他のグループの前記接続部を、前記他のグループの前記信号ラインと前記電源ラインとを電気的に接続するとともに、前記他のグループの前記信号ラインと前記出力ラインとの間の電気経路をハイインピーダンス状態とし、
前記複数の処理部のそれぞれは、各画素からの信号をアナログデジタル変換する変換部と、前記変換部からの信号を保持する信号保持部と、を含む
ことを特徴とする固体撮像装置。
【請求項２】
前記複数のグループは第１グループおよび第２グループを含んでおり、
前記出力ラインは、前記第１グループの各処理部からの信号を受ける第１部分と、前記第２グループの各処理部からの信号を受ける第２部分と、を含み、
前記第１部分に入力端子が接続され、前記第２部分に出力端子が接続されたバッファ回路をさらに有する
ことを特徴とする請求項１に記載の固体撮像装置。
【請求項３】
前記制御部は、前記第１グループの処理部からの信号を出力する場合には前記バッファ回路を活性状態にし、第２グループの処理部からの信号を出力する場合には前記バッファ回路を非活性状態にするように、前記バッファ回路を制御する
ことを特徴とする請求項２に記載の固体撮像装置。
【請求項４】
前記複数の接続部は、対応する信号ラインからの信号をバッファするバッファ回路をさらに備える
ことを特徴とする請求項１乃至３のいずれか１項に記載の固体撮像装置。
【請求項５】
前記変換部は、各画素からの信号と基準信号とを比較する比較部と、前記各画素からの信号の信号レベルと前記基準信号の信号レベルとの大小関係が逆転するまでの時間を計測する計測部と、を含む
ことを特徴とする請求項１に記載の固体撮像装置。
【請求項６】
前記複数の信号ラインは、前記信号保持部が保持する前記変換部からの信号のうちの上位ビット分と下位ビット分とを個別に伝達するように設けられている
ことを特徴とする請求項１乃至５のいずれか１項に記載の固体撮像装置。
【請求項７】
前記複数の接続部のそれぞれは、前記信号ラインと前記出力ラインとを電気的に接続するための第１スイッチと、前記信号ラインと前記電源ラインとを電気的に接続するための第２スイッチと、を含み、
前記１つのグループの処理部からの信号を出力する場合に、前記制御部は、
前記１つのグループについては、前記第１スイッチを導通状態にし、前記第２スイッチを非導通状態にし、
前記他のグループについては、前記第１スイッチを非導通状態にし、前記第２スイッチを導通状態にする
ことを特徴とする請求項１乃至６のいずれか１項に記載の固体撮像装置。
【請求項８】
複数の画素が配列された画素アレイと、前記画素アレイの各列の各画素からの信号を処理する複数の処理部と、を備える固体撮像装置であって、
前記複数の処理部は、２以上の処理部を各々が有する複数のグループを形成しており、
前記固体撮像装置は、
出力ラインと、
前記複数のグループにそれぞれ対応し、対応するグループが有する前記２以上の処理部の出力端を各々が相互に接続する複数の信号ラインと、
前記複数のグループにそれぞれ対応し、対応するグループの前記信号ラインと前記出力ラインとの間の経路に各々が設けられた複数のスイッチと、
制御部と、を備え、
前記複数のグループのうちの１つのグループの処理部からの信号を第１期間において出力する場合、
前記制御部は、前記第１期間において、前記１つのグループの前記スイッチを導通状態にし、前記１つのグループの前記信号ラインと前記出力ラインとを電気的に接続して前記１つのグループの前記処理部から信号を出力させ、
前記制御部は、前記第１期間において、他のグループの前記スイッチを非導通状態にし、前記他のグループの前記２以上の処理部の１つを制御して前記他のグループの前記信号ラインの電位を固定するための信号を出力させ、
前記複数の処理部のそれぞれは、各画素からの信号をアナログデジタル変換する変換部と、前記変換部からの信号を保持する信号保持部と、を含む
ことを特徴とする固体撮像装置。
【請求項９】
前記出力ラインを介して供給された、各処理部からの信号を出力する出力部をさらに備える
ことを特徴とする請求項１乃至８のいずれか１項に記載の固体撮像装置。
【請求項１０】
前記出力ラインは、第１の出力ラインと第２の出力ラインとを含み、
前記出力部は、
前記第１の出力ラインを介して出力された、各グループの前記２以上の処理部のうちの一部からの信号を出力する第１の出力部と、
前記第２の出力ラインを介して出力された、各グループの前記２以上の処理部のうちの他の一部からの信号を出力する第２の出力部と、を含む
ことを特徴とする請求項９に記載の固体撮像装置。
【請求項１１】
前記複数の信号ラインは、前記第１の出力ラインと前記第２の出力ラインとの間に配されている
ことを特徴とする請求項１０に記載の固体撮像装置。
【請求項１２】
請求項１乃至１１のいずれか１項に記載の固体撮像装置と、
前記固体撮像装置からの信号を処理する演算部と、を具備する
ことを特徴とするカメラ。
【手続補正２】
【補正対象書類名】明細書
【補正対象項目名】０００７
【補正方法】変更
【補正の内容】
【０００７】
本発明の一つの側面は固体撮像装置にかかり、前記固体撮像装置は、複数の画素が配列された画素アレイと、前記画素アレイの各列の各画素からの信号を処理する複数の処理部と、を備える固体撮像装置であって、前記複数の処理部は、２以上の処理部を各々が有する複数のグループを形成しており、前記固体撮像装置は、出力ラインと、電源電圧を伝達する電源ラインと、前記複数のグループにそれぞれ対応し、対応するグループが有する前記２以上の処理部の出力端を各々が相互に接続する複数の信号ラインと、前記複数のグループにそれぞれ対応する複数の接続部と、制御部と、を備え、前記複数のグループのうちの１つのグループの処理部からの信号を第１期間において出力する場合、前記制御部は、前記第１期間において、前記１つのグループの前記接続部を、前記１つのグループの前記信号ラインと前記出力ラインとを電気的に接続して前記１つのグループの前記処理部から信号を出力するように制御し、前記制御部は、前記第１期間において、他のグループの前記接続部を、前記他のグループの前記信号ラインと前記電源ラインとを電気的に接続するとともに、前記他のグループの前記信号ラインと前記出力ラインとの間の電気経路をハイインピーダンス状態とし、前記複数の処理部のそれぞれは、各画素からの信号をアナログデジタル変換する変換部と、前記変換部からの信号を保持する信号保持部と、を含むことを特徴とする。